(57)【要約】【課題】携帯電子機器の厚みを増加させることなく、携帯電子機器の高いデザイン性を実現することができない。【解決手段】携帯電子機器は、第１のパネル部と、第１のパネル部に結合した第２のパネル部とを備える本体部と、本体部の端部のみを被覆するフレーム部と、を有し、第１のパネル部と第２のパネル部との合わせ目線が、本体部の端部に位置し、本体部の端部は、ガイド部とガイド部に嵌合したレール部のいずれか一方を備え、フレーム部は、いずれか他方を備える。【選択図】      図１
2011254230.tif 000002
【特許請求の範囲】
【請求項１】
第１のパネル部と、前記第１のパネル部に結合した第２のパネル部とを備える本体部と、
前記本体部の端部のみを被覆するフレーム部と、を有し、
前記第１のパネル部と前記第２のパネル部との合わせ目線が、前記本体部の端部に位置し、
前記本体部の端部は、ガイド部と前記ガイド部に嵌合したレール部のいずれか一方を備え、
前記フレーム部は、いずれか他方を備える携帯電子機器。
【請求項２】
前記フレーム部の構造が、U字型である請求項１に記載の携帯電子機器。
【請求項３】
前記本体部の端部の厚みが、前記本体部の最厚部よりも薄い請求項１又は２に記載の携帯電子機器。
【請求項４】
前記フレーム部の最厚部が、前記本体部の最厚部よりも厚い請求項１から３のいずれか一項に記載の携帯電子機器。
【請求項５】
本体部の端部に装着されるキャップ部を有する請求項１から４のいずれか一項に記載の携帯電子機器。
【請求項６】
前記フレーム部の端部が第１の係合部を備え、
前記キャップ部の端部が、前記第１の係合部に係合する第２の係合部を備える請求項５に記載の携帯電子機器。
【請求項７】
前記レール部に、凸部と前記凸部に嵌合する凹部とのいずれか一方が配置され、
前記ガイド部に、前記凸部と前記凹部とのいずれか他方が配置され、
前記凸部と前記凹部とが嵌合することにより、前記ガイド部が前記レール部を上下からくわえこむ請求項１から６のいずれか一項に記載の携帯電子機器。
【請求項８】
前記第１のパネル部と前記第２のパネル部とは、防水パッキンを挟んで結合する請求項１から７のいずれか一項に記載の携帯電子機器。
【請求項９】
前記フレーム部は、樹脂を材料とする請求項１から８のいずれか一項に記載の携帯電子機器。
【請求項１０】
第１のパネル部と、前記第１のパネル部に結合した第２のパネル部と、ガイド部と前記ガイド部に嵌合するレール部のいずれか一方である第１の結合部と、を備えた本体部の前記第１の結合部に、
前記ガイド部と前記レール部のいずれか他方である第２の結合部を備えたフレーム部の前記第２の結合部を嵌合させて、
前記第１のパネル部と前記第２のパネル部との合わせ目線が位置する前記本体部の端部のみを前記フレーム部で被覆させる携帯電子機器の製造方法。
【発明の詳細な説明】
【技術分野】
【０００１】
本発明は、携帯電子機器及びその製造方法に関し、特に、フレームを備えた携帯電子機器及びその製造方法に関する。
【背景技術】
【０００２】
携帯電子機器の筐体は、筐体の内部に基板を実装するときの条件や電子機器の組立性の条件により、一般的に、筐体を構成するパネル同士の合わせ目の線（合わせ目線）が、筐体の側面に配置される構成となっている。
【０００３】
しかしながら、筐体の側面などの外観から識別できる位置に合わせ目線があると携帯電子機器のデザイン性が低くなる。そこで、この合わせ目線を目立たなくするために、筐体の側面に段差をつけるデザインにする等の工夫がなされてきた。
【０００４】
このように、近年、ユーザは携帯電子機器に対して高いデザイン性を求めている。
【０００５】
特許文献１には、レンズユニット、モニタ、基板を備えた内部ユニットを枠の内部に挿入して容易に組み立てることが可能なカメラが開示されている。
【先行技術文献】
【特許文献】
【０００６】
【特許文献１】特開２００９−１５７２４１号公報（段落「００３０」、図１）
【発明の概要】
【発明が解決しようとする課題】
【０００７】
上述したように、関連する携帯電子機器には、外観から識別できる位置に合わせ目線が配置されるため、携帯電子機器のデザイン性が低くなるという問題があった。
【０００８】
ここで、この合わせ目線を隠すために、特許文献１に開示された技術を用いて、筐体の全体を枠で覆う構成が考えられる。しかし、このような構成にすると、筐体の厚みに枠の厚みが加わるため、携帯電子機器自体が厚くなるという問題が起こる。
【０００９】
本発明の目的は、上述した課題である、携帯電子機器の厚みを増加させることなく、携帯電子機器の高いデザイン性を実現することができない、という課題を解決する携帯電子機器及びその製造方法を提供することにある。
【課題を解決するための手段】
【００１０】
本発明の携帯電子機器は、第１のパネル部と、第１のパネル部に結合した第２のパネル部とを備える本体部と、本体部の端部のみを被覆するフレーム部と、を有し、第１のパネル部と第２のパネル部との合わせ目線が、本体部の端部に位置し、本体部の端部は、ガイド部とガイド部に嵌合したレール部のいずれか一方を備え、フレーム部は、いずれか他方を備える。
【００１１】
また、本発明の携帯電子機器の製造方法は、第１のパネル部と、第１のパネル部に結合した第２のパネル部と、ガイド部とガイド部に嵌合するレール部のいずれか一方である第１の結合部と、を備えた本体部の第１の結合部に、ガイド部とレール部のいずれか他方である第２の結合部を備えたフレーム部の第２の結合部を嵌合させて、第１のパネル部と第２のパネル部との合わせ目線が位置する本体部の端部のみをフレーム部で被覆させる。
【発明の効果】
【００１２】
本発明の携帯電子機器によれば、携帯電子機器の厚みを増加させることなく、携帯電子機器の高いデザイン性を実現することができる。
【図面の簡単な説明】
【００１３】
【図１】本発明の第１の実施形態に係る携帯電子機器を示す斜視図である。
【図２】本発明の第１の実施形態に係る携帯電子機器を示す（ａ）斜視図、（ｂ）平面図、および（ｃ）平面図（ｂ）の２ｃ−２ｃ線断面図である。
【図３】本発明の第１の実施形態に係る別の携帯電子機器を示す斜視図である。
【図４】本発明の第１の実施形態に係る別の携帯電子機器を示す斜視図である。
【図５】本発明の第１の実施形態に係るさらに別の携帯電子機器を示す断面図である。
【図６】本発明の第２の実施形態に係る携帯電子機器を示す斜視図である。
【図７】本発明の第２の実施形態に係る携帯電子機器を示す（ａ）斜視図、（ｂ）平面図、および（ｃ）平面図（ｂ）の７ｃ−７ｃ線断面図である。
【図８】本発明の第３の実施形態に係る携帯電子機器を示す斜視図である。
【図９】本発明の第３の実施形態に係る携帯電子機器を示す斜視図である。
【図１０】本発明の第３の実施形態に係る携帯電子機器を示す（ａ）平面図、および（ｂ）平面図（ａ）の１０ｂ−１０ｂ線断面図である。
【図１１】本発明の第３の実施形態に係る別の携帯電子機器を示す断面図である。
【図１２】本発明の第３の実施形態に係るさらに別の携帯電子機器を示す（ａ）断面図、および（ｂ）断面図（ａ）の破線で囲った部分の拡大図である。
【発明を実施するための形態】
【００１４】
以下に、図面を参照しながら、本発明の実施形態について説明する。なお、本明細書では、第１のパネル部と第２のパネル部との合わせ目であって、露出する線状の部分を合わせ目線と呼ぶこととする。合わせ目線は、２つのパネル部が結合して形成される。この合わせ目線は、一般的にはパーティングライン、接合跡とも呼ばれる。
【００１５】
〔第１の実施形態〕
図１は、本発明の第１の実施形態に係る携帯電子機器１００を組み立てる前の状態を示す斜視図である。図２（ａ）は、携帯電子機器１００を示す斜視図である。図２（ｂ）は、携帯電子機器１００の平面図である。図２（ｃ）は、図２（ｂ）の平面図の２ｃ−２ｃ線断面図である。
【００１６】
図１に示すとおり、携帯電子機器１００は、本体部１０１とフレーム部１０２とを有する。本体部１０１は、第１のパネル部１０３と、第１のパネル部１０３に結合した第２のパネル部１０４とを備える。第１のパネル部１０３と、第２のパネル部１０４との合わせ目線１０５ａ、１０５ｂは、本体部１０１の端部に位置する。本体部１０１の端部には、ガイド部１０６が配置される。一方、フレーム部１０２は、フレーム部１０２の内側に、ガイド部１０６と嵌合するレール部１０７を備える。
【００１７】
フレーム部１０２は、図１の矢印の方向に移動し、本体部１０１に装着される。このとき、フレーム部１０２のレール部１０７は、本体部１０２のガイド部１０６と嵌合して、ガイド部１０６に沿って移動する。
【００１８】
こうして、図２（ａ）に示すように、携帯電子機器１００が製造される。このとき、図２（ａ）、（ｂ）に示すように、フレーム部１０２は本体部１０２の端部のみを被覆する。これにより、図２（ｃ）に示すように、フレーム部１０２は合わせ目線１０５ｂを被覆する。
【００１９】
本実施形態の携帯電子機器１００によれば、合わせ目線１０５ａ、１０５ｂは本体部１０１の端部に位置する。そして、フレーム部１０２は本体部１０２の端部のみを被覆する。そのため、携帯電子機器１００の厚みを増加させることなく、合わせ目線１０５ｂを被覆することができる。これにより、外観から合わせ目線１０５ｂを隠すことができるため、高いデザイン性を実現することができる。また、フレーム部１０２が合わせ目線１０５を被覆するために、本体部１０１の密封性が高くなり、防塵効果なども得られる。
【００２０】
また、本実施形態の携帯電子機器１００によれば、本体部１０１の端部はガイド部１０６を備え、フレーム部１０２はレール部１０７を備える。そのため、フレーム部１０２をガイド部１０６に沿ってスライドさせて、レール部１０７をガイド部１０６に嵌合することで、容易にフレーム部１０２を本体部１０１に装着することができる。また、フレーム部１０２を本体部１０１から容易に取り外すこともできる。このように、フレーム部１０２の装着及び取り外しを容易に行うことができるため、本実施形態の携帯電子機器１００によれば、フレーム部１０２を交換して、ユーザの好みに応じたフレーム部１０２を装着させることが可能となる。その結果、携帯電子機器１００のデザイン性をさらに向上させることができる。
【００２１】
なお、上述の説明によれば、ガイド部１０６は本体部１０１に配置され、レール部１０７はフレーム部１０２に配置されることとしたが、本実施形態に係る携帯電子機器１００はこれに限定されるものではない。すなわち、ガイド部１０６をフレーム部１０２に配置し、レール部１０７を本体部１０１に配置することとしても良い。
【００２２】
また、ガイド部１０６は、本体部１０１の一端から他端に延びて配置される必要はない。レール部１０７がガイド部１０６に沿ってスライドできる構成であれば、例えば、ガイド部１０６を本体部１０１の一部にのみ配置しても良いし、このようなガイド部１０６を所定の間隔で複数個配置しても良い。また、同様に、レール部１０７も、フレーム部１０２の内側の一端から他端に延びて配置される必要はない。例えば、レール部１０７をフレーム部１０２の内側の一部にのみ配置しても良いし、このようなレール部１０７を所定の間隔で複数個配置しても良い。このように、ガイド部１０６又はレール部１０７を本体部１０１又はフレーム部１０２の内側の一部にのみ配置することにより、携帯電子機器１００を軽量化することができる。
【００２３】
また、本実施形態の携帯電子機器１００によれば、電子機器の強度の低下を招くことなく、合わせ目線１０５ｂを外観から隠すことができる。合わせ目線１０５ａ、１０５ｂを外観から隠すための方法として、本体部１０１の端部の表面を削り、合わせ目線１０５ａ、１０５ｂを目立たなくさせる方法がある。しかしながら、端部の表面を削ると電子機器の強度の低下を招く。加えて、製造工程が複雑になるという問題がある。一方、本実施形態の携帯電子機器１００によれば、合わせ目線１０２が露出する部分をフレーム部１０２で被覆するため、電子機器の強度が低下するのを招くことなく、合わせ目線１０５ｂを外観から隠すことができる。
【００２４】
図１に示すフレーム部１０２の構造はＵ字型であるが、フレーム部１０２の構造はこれに限定されない。例えば、Ｌ字型としても良い。
【００２５】
また、図１には、第１のパネル部１０３の厚みと第２のパネル部１０４の厚みとが等しい例を示したが、これらの厚みは異なっていても良い。
【００２６】
携帯電子機器１００は、フレーム部１０２が係合部を備え、本体部１０１の端部がこの係合部と係合する係合端部を備える構成とするのが望ましい。これにより、フレーム部１０２を本体部１０１に固定することができる。
【００２７】
また、携帯電子機器１２０は、図３に示すように、フレーム部１０２で覆われない本体部１０１の端部にキャップ部１２８をさらに装着しても良い。フレーム部の構造をＵ字型とした場合、図２（ａ）に示すように、フレーム部１０２を本体部１０１に装着させても、合わせ目線１０５ａは外観から識別できる位置に残ってしまう。そこで、図４に示すように、さらにキャップ部１２８を用意し、キャップ部１２８とフレーム部１２２とを本体部１０１に装着させることにより、合わせ目線１０５ａも外観から隠すことが可能となる。
【００２８】
さらに、フレーム部１０２とキャップ部１０８とを係合することができる構成としても良い。これにより、フレーム部１０２とキャップ部１０８を本体部１０１に固定することができる。
【００２９】
本体部１０１には、電子機器に必要な回路基板などが含まれることとしても良い。また、第１のパネル部や第２のパネル部の外部に露出する表面にモニタやボタンなどを配置しても良い。
【００３０】
図２（ａ）〜（ｃ）には、フレーム部１０２の厚みが本体部１０１の厚みと同じ例を示したが、本実施形態に係る携帯電子機器１００はこれに限定されるものではない。フレーム部１０２は、本体部１０１よりも薄くしても良いし、厚くしても良い。図５に示すように、フレーム部１４２を本体部１０１で最も厚い部分である最厚部よりも厚くすると、本体部が他の物品と接触するのを防止することができる。そのため、本体部がモニタ１４９などを有する場合は、フレーム部１４２を本体部よりも厚くするのが望ましい。これにより、モニタ１４９が他の物品と接触して傷つくのを防止することができる。なお、携帯電子機器１４０は、第１のパネル部１４３と第２のパネル部１４４とを備える。
【００３１】
携帯電子機器１００は、例えば、携帯電話機、ＰＨＳ(Ｐｅｒｓｏｎａｌ  Ｈａｎｄｙ−ｐｈｏｎｅ  Ｓｙｓｔｅｍ)、又はＰＤＡ（Ｐｅｒｓｏｎａｌ  Ｄａｔａ  Ａｓｓｉｓｔａｎｔｓ）とすることができる。
【００３２】
次に、第１の実施形態に係る携帯電子機器１００の製造方法について説明する。図１に示すように、本体部１０１は、第１のパネル部１０３と、第１のパネル部１０３に結合した第２のパネル部１０４と、ガイド部１０６とガイド部１０６に嵌合するレール部１０７のいずれか一方である第１の結合部と、を備える。図１には、第１の結合部がガイド部１０６である例を示す。一方、フレーム部１０２は、ガイド部１０６とレール部１０７のいずれか他方である第２の結合部を備える。図１には、第２の結合部がレール部１０７である例を示す。ここで、第１のパネル部１０３と第２のパネル部１０４との合わせ目線１０５ａ、１０５ｂは、本体部１０１の端部に位置する。
【００３３】
携帯電子機器１００は、本体部１０１の第１の結合部に、フレーム部１０２の第２の結合部を嵌合させて、本体部１０１の端部のみをフレーム部１０２で被覆させて製造される。
【００３４】
本実施形態の携帯電子機器１００の製造方法によれば、ガイド部とレール部とを嵌合することにより、フレーム部を本体部に装着させる。そのため、この装着動作を容易に行うことができる。
【００３５】
〔第２の実施形態〕
次に、本発明の第２の実施形態について説明する。本実施形態の携帯電子機器は、本体部がレール部を備え、フレーム部がガイド部を備える。
【００３６】
図６は、本発明の第２の実施形態に係る携帯電子機器２００を組み立てる前の状態を示す斜視図である。図７（ａ）は、携帯電子機器２００を示す斜視図である。図７（ｂ）は、携帯電子機器２００の平面図である。図７（ｃ）は、図７（ｂ）の平面図の７ｃ−７ｃ線断面図である。
【００３７】
図６に示すとおり、携帯電子機器２００は、本体部２０１とフレーム部２０２とを有する。本体部２０１は、第１のパネル部２０３と、第１のパネル部２０３に結合した第２のパネル部２０４とを備える。第１のパネル部２０３と、第２のパネル部２０４との合わせ目線２０５ａ、２０５ｂは、本体部２０１の端部に位置する。フレーム部２０２の内側には、ガイド部２０６が配置される。一方、本体部２０１の端部には、ガイド部２０６に嵌合するレール部２０７が配置される。このとき、本体部２０１の端部の厚みは、本体部２０１の最厚部よりも薄い。
【００３８】
本体部２０１が図６の矢印の方向に移動することにより、フレーム部２０２は本体部２０１に装着される。このとき、本体部２０１のレール部２０７は、フレーム部２０２のガイド部２０６に嵌合して、ガイド部２０６に沿って移動する。
【００３９】
こうして、図７（ａ）に示すように、携帯電子機器２００が製造される。このとき、図７（ａ）、（ｂ）に示すように、フレーム部２０２は本体部２０２の端部のみを被覆する。これにより、図７（ｃ）に示すように、フレーム部２０２は合わせ目線２０５ｂを被覆する。
【００４０】
本実施形態の携帯電子機器２００によれば、合わせ目線２０５ｂは本体部２０１の端部に位置する。そして、フレーム部２０２は本体部２０２の端部のみを被覆する。そのため、携帯電子機器２００の厚みを増加をさせることなく、合わせ目線２０５ｂを被覆することができる。これにより、外観から合わせ目線を隠すことができるため、携帯電子機器のデザイン性を向上させることができる。
【００４１】
〔第３の実施形態〕
次に、本発明の第３の実施形態について説明する。
【００４２】
図８、図９は、本発明の第３の実施形態に係る携帯電子機器３００を構成する部品を示す斜視図である。図１０（ａ）は、携帯電子機器３００の平面図である。図１０（ｂ）は、図１０（ａ）の平面図の１０ｂ−１０ｂ線断面図である。
【００４３】
図８に示すとおり、携帯電子機器３００は、本体部３０１と、フレーム部３０２と、キャップ部３０８とを有する。本体部３０１は、第１のパネル部３０３と、第１のパネル部３０３に結合した第２のパネル部３０４とを備える。図９に示すように、第１のパネル部３０３と第２のパネル部３０４との合わせ目線３０５ａ、３０５ｂは、本体部３０１の端部に位置する。フレーム部３０２は、その内側の一部にガイド部３０６を備える。また、フレーム部３０２は、Ｕ字型であり、丸みを持たせた形状である。一方、本体部３０１の端部は、ガイド部３０６に嵌合するレール部３０７を備える。キャップ部３０８は、本体部３０１の端部に装着される。
【００４４】
さらに、本体部３０１内に備えられた実装基板３１１は第１のパネル部３０３と第２のパネル部３０４とによって保持される。また、防水パッキン３１０はパッキン用溝３１４に嵌められる。そして、この状態でネジ３１２を締めることにより、第１のパネル部３０３の端部と第２のパネル部３０４の端部とが結合する。
【００４５】
さらに、図１０（ｂ）に示すように、レール部３０７の端部には、凸部３０７ａ、３０７ｂが配置される。また、ガイド部３０６には、凸部３０７ａと嵌合する凹部３０６ａと、凸部３０７ｂと嵌合する凹部３０６ｂとが配置される。そして、フレーム部３０２を本体部３０１に装着するときに凹部３０６ａと凸部３０７ａとを嵌合し、凹部３０６ｂと凸部３０７ｂとを嵌合することにより、ガイド部３０６はレール部３０７を上下からくわえこむことができる。そのため、フレーム部３０２を本体部３０１に装着したときに、フレーム部３０２を本体部３０１に強固に固定することが可能となる。
【００４６】
なお、凹部３０６ａ、３０６ｂと凸部３０７ａ、３０６ｂはそれぞれガイド部３０６またはレール部３０７の一端から他端に延びて配置されても良いし、ガイド部３０６またはレール部３０７の一部にのみ配置されても良い。また、図１０（ｂ）には、レール部３０７の端部に凸部３０７ａ、３０７ｂを配置し、ガイド部３０６に凹部３０６ａ、３０６ｂを配置した例を示したが、レール部３０７に凹部を配置し、ガイド部３０６に凸部を配置することとしても良い。
【００４７】
携帯電子機器３００の製造方法について説明する。図９の矢印方向に、本体部３０１をフレーム部３０２に挿入する。これにより、フレーム部３０２が本体部３０１に装着される。このとき、本体部３０１のレール部３０７をフレーム部３０２のガイド部３０６に嵌めて、本体部３０１とフレーム部３０２とを互いに対してスライドさせる。さらにこのとき、図１０（ｂ）に示すように、凹部３０６ａと凸部３０７ａとが嵌合し、凹部３０６ｂと凸部３０７ｂとが嵌合することにより、ガイド部３０６はレール部３０７を上下からくわえ込む。最後に、キャップ部３０８を本体部３０１に装着し、キャップ部３０８をネジ３１２でフレーム部３０２に固定する。
【００４８】
本体部３０１は防水パッキン３１０を備えるため、高い防水性を備える。
【００４９】
フレーム部３０２は、樹脂を材料とするのが望ましく、特に、ＰＣ‐ＧＦ１０などのポリカーボネート樹脂を材料とするのが望ましい。また、フレーム部３０２の材料には、フレーム部３０２を撓ませることができるようなものを用いるのが望ましい。これにより、携帯電子機器３００を製造する際に、フレーム部３０２が壊れてしまうのを防ぐことができる。
【００５０】
携帯電子機器３００は、携帯電子機器３００の側面にサイドキー部を備えていても良い。
【００５１】
図１０（ｂ）には、ガイド部３０６がレール部３０７を上下からくわえ込む例を示したが、ガイド部３０６とレール部３０７の構造はこれに限定されるものではない。例えば、図１１に示すように、ガイド部３２７がレール部３２６を上下方向から押さえる構成としても良い。なお、携帯電子機器３２０は、フレーム部３２２と本体部とを備える。本体部は、第１のパネル部３２３と第２のパネル部３２４とを備える。実装基板３３１は、本体部の内側に配置される。フレーム部３２２の内側にはガイド部３２６が配置される。本体部には、レール部３２７が配置される。防水パッキン３３０は、パッキン用溝に嵌められる。
【００５２】
また、図９には、キャップ部３０８がネジ３１２により、フレーム部３０２に固定する例を示したが、キャップ部３０８をフレーム部３０２に固定する構成はこれに限定されるものではない。図１２（ａ）は、フレーム部３４２とキャップ部３４８とを、これらの厚さ方向に垂直な方向に切断した断面図である。例えば、図１２（ａ）に示すように、フレーム部３４２の端部に第１の係合部３５５を設ける。第１の係合部３５５は、例えば、爪状の構造にすることができる。さらに、この第１の係合部３５５に係合する第２の係合部３５６をキャップ部３４８の端部に設ける。図１２（ｂ）に、図１２（ａ）に示す第１の係合部３５５と第２の係合部３５６を含む破線部分の拡大図を示す。図１２（ｂ）に示すように、第１の係合部３５５を第２の係合部３５６に係合させることにより、キャップ部３４８をフレーム部３４２に固定させることができる。
【００５３】
本発明は上記実施形態に限定されることなく、特許請求の範囲に記載した発明の範囲内で、種々の変形が可能であり、それらも本発明の範囲内に含まれるものであることはいうまでもない。
【符号の説明】
【００５４】
１００、１２０、１４０、２００、３００、３２０    携帯電子機器
１０１、２０１、３０１    本体部
１０２、１２２、１４２、２０２、３０２、３２２    フレーム部
１０３、１４３、２０３、３０３、３２３    第１のパネル部
１０４、１４４、２０４、３０４、３２４    第２のパネル部
１０５、２０５、３０５、    合わせ目線
１０６、２０６、３０６、３２６    ガイド部
１０７、２０７、３０７、３２７    レール部
１２８、３０８、３４８    キャップ部
１４９    モニタ
３０６ａ、３０６ｂ    凹部
３０７ａ、３０７ｂ    凸部
３１０、３３０    防水パッキン
３１１、３３１    実装基板
３１２    ネジ
３１４    パッキン用溝
３５５    第１の係合部
３５６    第２の係合部
【図１】
2011254230.tif 000003
【図２】
2011254230.tif 000004
【図３】
2011254230.tif 000005
【図４】
2011254230.tif 000006
【図５】
2011254230.tif 000007
【図６】
2011254230.tif 000008
【図７】
2011254230.tif 000009
【図８】
2011254230.tif 000010
【図９】
2011254230.tif 000011
【図１０】
2011254230.tif 000012
【図１１】
2011254230.tif 000013
【図１２】
2011254230.tif 000014